(57)【要約】【課題】  本発明では、ダイレクトプリントを行う場合に、印刷データの転送に係る処理時間を削減し、印刷する電子文書を保存する余分な記憶領域の確保を不要とする画像処理装置を提供することを目的とする。【解決手段】  本発明に係る画像処理装置１は、印刷すべき電子文書を記録したＵＳＢメモリ３が接続される画像処理装置であって、ＵＳＢメモリ３から、電子文書を識別するファイル名を取得する識別情報取得手段１０と、識別情報取得手段１０により取得されたファイル名の中から、当該画像処理装置１で印刷させる電子文書に対応したファイル名を選択する印刷文書選択手段３０と、印刷文書選択手段３０により選択されたファイル名に基づいて、ＵＳＢメモリ３に記録された電子文書を参照して、印刷する電子文書印刷手段４０と、を有することを特徴とする。【選択図】図２
2009176043.tif 000002
【特許請求の範囲】
【請求項１】
印刷すべき電子文書を記録したＵＳＢメモリが接続される画像処理装置であって、
前記ＵＳＢメモリから、前記電子文書を識別するファイル名を取得する識別情報取得手段と、
前記識別情報取得手段により取得された前記ファイル名の中から、当該画像処理装置で印刷させる前記電子文書に対応した前記ファイル名を選択する印刷文書選択手段と、
前記印刷文書選択手段により選択された前記ファイル名に基づいて、前記ＵＳＢメモリに記録された前記電子文書を参照して、印刷する電子文書印刷手段と、を有することを特徴とする画像処理装置。
【請求項２】
当該画像処理装置が有する機能をユーザが利用する際のユーザインタフェースとして機能する表示装置と、
前記識別情報取得手段により取得された前記ファイル名を、前記表示装置に表示する識別情報表示手段と、を有することを特徴とする請求項１に記載の画像処理装置。
【請求項３】
前記ＵＳＢメモリに代えて、ＳＤカードとすることを特徴とする請求項１又は２に記載の画像処理装置。
【請求項４】
前記電子文書は、ＰＤＦ形式であることを特徴とする請求項１乃至３のいずれか一に記載の画像処理装置。
【請求項５】
印刷すべき電子文書を記録したＵＳＢメモリが接続される画像処理装置の画像処理方法であって、
前記ＵＳＢメモリから、前記電子文書を識別するファイル名を取得する識別情報取得手順と、
前記識別情報取得手順により取得された前記ファイル名の中から、当該画像処理装置で印刷させる前記電子文書に対応した前記ファイル名を選択する印刷文書選択手順と、
前記印刷文書選択手順により選択された前記ファイル名に基づいて、前記ＵＳＢメモリに記録された前記電子文書を参照して、印刷する電子文書印刷手順と、を有することを特徴とする画像処理方法。
【請求項６】
前記画像処理装置は、当該画像処理装置が有する機能をユーザが利用する際のユーザインタフェースとして機能する表示装置を有し、
前記識別情報取得手順により取得された前記ファイル名を、前記表示装置に表示する識別情報表示手順と、を有することを特徴とする請求項５に記載の画像処理方法。
【請求項７】
前記ＵＳＢメモリに代えて、ＳＤカードとすることを特徴とする請求項５又は６に記載の画像処理方法。
【請求項８】
前記電子文書は、ＰＤＦ形式であることを特徴とする請求項５乃至７のいずれか一に記載の画像処理方法。
【請求項９】
印刷すべき電子文書を記録したＵＳＢメモリが接続される画像処理装置の画像処理プログラムであって、
コンピュータに、
前記ＵＳＢメモリから、前記電子文書を識別するファイル名を取得する識別情報取得手順と、
前記識別情報取得手順により取得された前記ファイル名の中から、当該画像処理装置で印刷させる前記電子文書に対応した前記ファイル名を選択する印刷文書選択手順と、
前記印刷文書選択手順により選択された前記ファイル名に基づいて、前記ＵＳＢメモリに記録された前記電子文書を参照して、印刷する電子文書印刷手順と、を実行させるための画像処理プログラム。
【請求項１０】
前記画像処理装置は、当該画像処理装置が有する機能をユーザが利用する際のユーザインタフェースとして機能する表示装置を有し、
前記識別情報取得手順により取得された前記ファイル名を、前記表示装置に表示する識別情報表示手順と、を有することを特徴とする請求項９に記載の画像処理プログラム。
【請求項１１】
前記ＵＳＢメモリに代えて、ＳＤカードとすることを特徴とする請求項９又は１０に記載の画像処理プログラム。
【請求項１２】
前記電子文書は、ＰＤＦ形式であることを特徴とする請求項９乃至１１のいずれか一に記載の画像処理プログラム。
【発明の詳細な説明】
【技術分野】
【０００１】
本発明は、ＰＤＦ文書データを外部記憶媒体に保存し、その外部記憶媒体を画像処理装置に接続することで、スプール処理を省き、直接ＰＤＦ文書データを参照して印刷する処理に関する。
【背景技術】
【０００２】
従来、電子文書の印刷方法は、電子文書をアプリケーションから開いた後、プリンタドライバーを起動して印刷設定を行い、プリンタドライバーによって電子文書の形式からページ記述言語（以下、ＰＤＬ：Ｐａｇｅ  Ｄｅｓｃｒｉｐｔｉｏｎ  Ｌａｎｇｕａｇｅ）に変換して、ＰＤＬデータを印刷装置に送信するというのが一般的である（以下、通常印刷）。
【０００３】
しかしながら、この通常印刷では、
（１）電子文書を1度画面に開く
（２）毎回印刷設定を行う
（３）電子文書を必ずＰＤＬ解析してから送信する
という手間と時間がかかる。
【０００４】
そこで、この手間を減らすためにジョブサブミット用アプリケーションが利用される。ジョブサブミット用アプリケーションは、アプリケーションの起動とプリンタドライバーの処理を行い、印刷したい電子文書をドラッグ＆ドロップすると、電子文書をその形式のまま印刷装置に送信する（ダイレクトプリント）。そのため（１）〜（３）の処理を省くことが可能である。送信されたデータがＰＤＦ（Ｐｏｒｔａｂｌｅ  Ｄｏｃｕｍｅｎｔ  Ｆｏｒｍａｔ）形式の場合は、一度、印刷装置側の記憶媒体（ＨＤＤ：Ｈａｒｄ  Ｄｉｓｋ  Ｄｒｉｖｅ又はＲＡＭ：Ｒａｎｄｏｍ  Ａｃｃｅｓｓ  Ｍｅｍｏｒｙ）に格納され、そこからデータを取り出して出力する。
【０００５】
しかし、安価な印刷装置は、記憶容量の大きいＨＤＤやＲＡＭを記憶媒体としたファイルシステムを持たない場合が多い。この場合、電子文書を印刷するためには、ダイレクトプリント機能を使わず、プリンタドライバーを使用した通常印刷を行う必要がある。
【０００６】
そこで、ファイルシステム用の充分な記憶媒体を持たない印刷装置でも、メモリ拡張をせずに、電子文書をダイレクトプリントでき、ページがどのようなサイズであっても、確実にダイレクトプリントを実現させる技術が公開されている（特許文献１）。
【特許文献１】特開２００６−１７２０４３号公報
【発明の開示】
【発明が解決しようとする課題】
【０００７】
しかしながら、上記技術には、印刷装置への印刷データ転送前に、ＰＣ端末側で特別な処理を行う必要があり、この処理時間の分だけ、印刷処理に時間が掛かるというという問題点があった。
【０００８】
また、印刷する電子文書を保存するために一定の記憶領域を確保する必要があり、その分、ＰＣ端末に設置するメモリの費用が高くなるという問題点もあった。
【０００９】
そこで、上記問題点に鑑み、本発明では、ダイレクトプリントを行う場合に、印刷データの転送に係る処理時間を削減し、印刷する電子文書を保存する余分な記憶領域の確保を不要とする画像処理装置、画像処理方法、画像処理プログラムを提供することを目的とする。
【課題を解決するための手段】
【００１０】
本発明に係る画像処理装置は、印刷すべき電子文書を記録したＵＳＢメモリが接続される画像処理装置であって、前記ＵＳＢメモリから、前記電子文書を識別するファイル名を取得する識別情報取得手段と、前記識別情報取得手段により取得された前記ファイル名の中から、当該画像処理装置で印刷させる前記電子文書に対応した前記ファイル名を選択する印刷文書選択手段と、前記印刷文書選択手段により選択された前記ファイル名に基づいて、前記ＵＳＢメモリに記録された前記電子文書を参照して、印刷する電子文書印刷手段と、を有することを特徴とする。
【００１１】
また、本発明に係る画像処理装置の一形態では、当該画像処理装置が有する機能をユーザが利用する際のユーザインタフェースとして機能する表示装置と、前記識別情報取得手段により取得された前記ファイル名を、前記表示装置に表示する識別情報表示手段と、を有することを特徴とする。
【００１２】
また、本発明に係る画像処理装置の一形態では、前記ＵＳＢメモリに代えて、ＳＤカードとすることを特徴とする。
【００１３】
また、本発明に係る画像形成装置の一形態では、前記電子文書は、ＰＤＦ形式であることを特徴とする。
【００１４】
従って、本発明では、ダイレクトプリントを行う場合に、印刷データの転送に係る処理時間を削減し、印刷する電子文書を保存する余分な記憶領域の確保を不要とする画像処理装置を提供することができる。
【発明の効果】
【００１５】
本発明は、ダイレクトプリントを行う場合に、印刷データの転送に係る処理時間を削減し、印刷する電子文書を保存する余分な記憶領域の確保を不要とする画像処理装置、画像処理方法、画像処理プログラムを提供することができる。
【発明を実施するための最良の形態】
【００１６】
図面を参照しながら、本発明を実施するための最良の形態について説明する。
【００１７】
（本実施の形態に係る画像処理装置の動作原理）
図１を用いて、本実施の形態に係る画像処理装置を含む画像処理システムの構成について説明する。図１は、本実施の形態に係る画像処理装置１を含む画像処理システムの構成を示す図である。
【００１８】
図１に示すように、画像処理システムは、本実施の形態に係る画像処理装置１とＰＣ端末２から構成される。画像処理装置１とＰＣ端末２とは、ＵＳＢメモリ（Ｕｎｉｖｅｒｓａｌ  Ｓｅｒｉａｌ  Ｂｕｓ）３又はＳＤカード（Ｓｅｃｕｒｅ  Ｄｉｇｉｔａｌ）４を利用して、印刷データの授受を行う。
【００１９】
また、画像処理装置１とＰＣ端末２とは、図１で示すように、ＬＡＮ（Ｌｏｃａｌ  Ａｒｅａ  Ｎｅｔｗｏｒｋ）で接続されている。
【００２０】
次に、図２を用いて、本実施の形態に係る画像処理装置の動作原理について説明する。図２は、本実施の形態に係る画像処理装置１の動作原理を示す図である。
【００２１】
本実施の形態に係る画像処理装置１は、識別情報取得手段１０、識別情報表示手段２０、印刷文書選択手段３０、電子文書印刷手段４０から構成される。
【００２２】
識別情報取得手段１０は、外部記憶媒体であるＵＳＢメモリ３又はＳＤカード４に記憶されている、画像処理装置１で印刷すべき電子文書を識別するファイル名を、当該ＵＳＢメモリ３又はＳＤカード４から、取得する。外部記憶媒体に複数の電子文書が記憶されている場合に、その中で、どの電子文書を印刷対象とするかの選択をするために、当該ファイル名を取得する。取得するファイル名の数は、１つであっても良く、複数であっても良い。
【００２３】
識別情報表示手段２０は、識別情報取得手段１０により取得されたファイル名を、画像処理装置１の表示装置に表示する。外部記憶媒体に複数の電子文書が記憶されている場合に、その中で、どの電子文書を印刷対象とするかをユーザに選択させるために、当該ファイル名を表示装置に表示する。
【００２４】
印刷文書選択手段３０は、識別情報取得手段１０により取得されたファイル名の中から、画像処理装置１で印刷させる電子文書に対応したファイル名を選択する。
【００２５】
ここで、ファイル名の選択方法については、例えば、識別情報取得手段１０により取得されたファイル名が１つしかない場合、自動的に、そのファイル名を選択するようにしても良い。また、画像処理装置１で印刷させる電子文書のファイル名のリストがあれば、そのリストの内容と識別情報取得手段１０により取得されたファイル名とを照合して、一致するファイル名を選択するようにしても良い。また、識別情報表示手段２０により画像処理装置１の表示装置に表示させたファイル名の中から、ユーザに画像処理装置１で印刷させるファイル名を選択させ、そのユーザが選択したファイル名を選択するようにしても良い。
【００２６】
電子文書印刷手段４０は、ＰＤＬ解釈手段５０、描画手段６０、画像出力手段７０を有する。
【００２７】
ＰＤＬ解釈手段５０は、ＵＳＢメモリ３又はＳＤカード４に記憶されたＰＤＦ形式の電子文書のうち、印刷文書選択手段３０により選択されたファイル名によって識別される電子文書を読み出し、そして、読み出した電子文書の情報に基づき、印刷命令を生成する。
【００２８】
描画手段６０は、ＰＤＬ解釈手段５０により生成された印刷命令に基づいて、ラスター画像を生成する。
【００２９】
画像出力手段７０は、描画手段６０により生成されたラスター画像を、プロッタを用いて、紙出力する。
【００３０】
以下で、本実施の形態に係る画像処理装置１の一連の処理の流れを説明する。
【００３１】
ここでは、ＰＤＦ形式の電子文書をダイレクトプリントする場合であって、ＰＣ端末２で印刷させたいＰＤＦ形式の電子文書をＵＳＢメモリ３又はＳＤカードに記憶させた後、そのＵＳＢメモリ３又はＳＤカード４を画像処理装置１に接続し、当該ＰＤＦ形式の電子文書を画像処理装置１に印刷させる処理について説明する。
【００３２】
はじめに、識別情報取得手段１０が、画像処理装置１と接続されたＵＢＳメモリ３又はＳＤカード４から、この外部記憶媒体に記憶されたＰＤＦ形式の電子文書のファイル名を取得する。次に、識別情報表示手段２０が、識別情報取得手段１０により取得されたファイル名を、画像処理装置１の表示装置に、表示させる。
【００３３】
ここで、ユーザが、画像処理装置１の表示装置に表示されたファイル名の中から、画像処理装置１に印刷させる電子文書に対応するファイル名を選択すると、印刷文書選択手段３０が、このユーザが選択したファイル名を選択する。
【００３４】
そして、ＰＤＬ解釈手段５０が、印刷文書選択手段３０により選択されたファイル名に対応するＰＤＦ形式の電子文書を、ＵＳＢメモリ３又はＳＤカード４から読み出し、読み出した電子文書に係る情報に基づき印刷命令を生成する。
【００３５】
その次に、描画手段６０が、ＰＤＬ解釈手段５０により生成された印刷命令に基づき、ラスター画像を生成し、画像出力手段７０が、そのラスター画像をプロッタで紙出力させる。
【００３６】
上記のような処理を行うことで、ダイレクトプリントを行う場合に、印刷データの転送に係る処理時間を削減し、印刷する電子文書を保存する余分な記憶領域の確保を不要とする画像処理装置を提供することができる。
【００３７】
（本実施の形態に係る画像処理装置のハードウェア構成）
図３を用いて、本実施の形態に係る画像処理装置のハードウェア構成を説明する。図３は、本実施の形態に係る画像処理装置１のハードウェア構成の一例を示す図である。
【００３８】
本実施の形態に係る画像処理装置１は、ＣＰＵ（Ｃｅｎｔｒａｌ  Ｐｒｏｃｅｓｓｉｎｇ  Ｕｎｉｔ）１１０、ＲＯＭ（Ｒｅａｄ  Ｏｎｌｙ  Ｍｅｍｏｒｙ）１２０、ＲＡＭ１３０、ＮＶＲＡＭ（Ｎｏｎ−Ｖｏｌａｔｉｌｅ  ＲＡＭ）１４０、ＨＤＤ１５０、ＦＣＵ（Ｆａｃｓｉｍｉｌｅ  Ｃｏｎｔｒｏｌ  Ｕｎｉｔ）１６０、ネットワークＩ／Ｆ（ＩｎｔｅｒＦａｃｅ）１７０、外部記憶Ｉ／Ｆ１８０、表示装置１９０、プロッタ２００を有する。
【００３９】
ＣＰＵ１１０は、ＲＯＭ１２０に記憶されたプログラムを実行する装置で、ＲＡＭ１３０に展開（ロード）されたデータを、プログラムの命令に従って演算処理し、画像処理装置１の全体を制御する。
【００４０】
ＲＯＭ１２０は、ＣＰＵ１１０が実行するプログラムやデータを記憶している。
【００４１】
ＲＡＭ１３０は、ＣＰＵ１１０でＲＯＭ１２０に記憶されたプログラムを実行する際に、実行するプログラムやデータが展開（ロード）され、演算の間、演算データを一時的に保持する。
【００４２】
ＮＶＲＡＭ１４０は、電源を切ってもデータが消えず保存される半導体メモリのことであり、画像処理装置１のセットアップ情報等が保存されている。
【００４３】
ＨＤＤ１５０は、基本ソフトウェアであるＯＳ（Ｏｐｅｒａｔｉｎｇ  Ｓｙｓｔｅｍ）、本実施の形態に係るアプリケーションプログラムや機能拡張用のプラグインなどを、関連するデータとともに記憶する装置である。
【００４４】
ＦＣＵ１６０、公衆回線網に接続され、画像処理装置１内のデジタル信号と公衆回線網内のアナログ信号との変換を行い、Ｇ３プロトコルに従って公衆回線網に対してファクシミリ送受信を行う。
【００４５】
ネットワークＩ／Ｆ１７０は、通信ネットワークを介して接続された他の通信制御機能を備えた周辺機器と情報（データ）をやり取りするインタフェースである。本実施の形態では、ＬＡＮに接続され、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）などの通信プロトコルに従って、ＬＡＮに接続されたＰＣ端末２から電子文書データを受信する。
【００４６】
外部記憶Ｉ／Ｆ１８０は、ＵＳＢメモリ３、ＳＤカード４などの外部記憶媒体と、情報（データ）のやり取りをするインタフェースである。本実施の形態では、この外部記憶媒体に記憶された電子文書データを参照する場合に、外部記憶Ｉ／Ｆ１８０を介して行う。
【００４７】
表示装置１９０は、ハードキーによるキースイッチとＬＣＤ（Ｌｉｑｕｉｄ  Ｃｒｙｓｔａｌ  Ｄｉｓｐｌａｙ）とから構成され、画像処理装置１が有する機能をユーザが利用する際に、各種設定を行うなどのユーザインタフェースとして機能する装置である。本実施の形態では、外部記憶媒体に記憶された電子文書に係るファイル名の一覧を表示し、ユーザが表示装置１９０に表示されるファイル名にタッチすることで、電子文書に係るファイル名を選択させる。
【００４８】
プロッタ２００は、画像データを紙出力させる装置である。
【００４９】
以下で、本実施の形態に係る画像処理装置１の一連の処理の流れを説明する。
【００５０】
ここでは、ＰＤＦ形式の電子文書をダイレクトプリントする場合であって、ＰＣ端末２で印刷させたいＰＤＦ形式の電子文書をＵＳＢメモリ３又はＳＤカード４に記憶させた後、そのＵＳＢメモリ３又はＳＤカード４を画像処理装置１に接続し、当該ＰＤＦ形式の電子文書を画像処理装置１に印刷させる処理について説明する。
【００５１】
はじめに、識別情報取得手段１０は、外部記憶Ｉ／Ｆ１８０を介して、ＵＢＳメモリ３又はＳＤカード４から、この外部記憶媒体に記憶されたＰＤＦ形式の電子文書のファイル名を取得する。次に、識別情報表示手段２０は、識別情報取得手段１０により取得されたファイル名を、表示装置１９０に表示する。
【００５２】
ここで、ユーザがその表示装置１９０にタッチすることで、画像処理装置１に印刷させる電子文書に対応するファイル名を選択すると、印刷文書選択手段３０は、このユーザが選択したファイル名を選択する。
【００５３】
そして、ＰＤＬ解釈手段５０は、印刷文書選択手段３０により選択されたファイル名に対応する電子文書を、ＵＳＢメモリ３又はＳＤカード４から読み出し、読み出した電子文書に係る情報に基づき印刷命令を生成し、それをＲＡＭ１３０に一時的に記憶する。
【００５４】
次に、描画手段６０は、ＰＤＬ解釈手段５０により生成された印刷命令をＲＡＭ１３０から読み出した後、その印刷命令に基づいてラスター画像を生成し、それをＲＡＭ１３０に記憶する。
【００５５】
最後に、画像出力手段７０は、そのラスター画像をＲＡＭ１３０から読み出し、プロッタ２００を用いて、紙出力する。
【００５６】
上記のような処理を行うことで、ダイレクトプリントを行う場合に、印刷データの転送に係る処理時間を削減し、印刷する電子文書を保存する余分な記憶領域の確保を不要とする画像処理装置を提供することができる。
【００５７】
（実施の形態）
図４を用いて、本実施の形態に係る画像処理装置の動作処理について説明する。図４は、本実施の形態に係る画像処理装置１の処理手順を示すフローチャートである。
【００５８】
ここでは、ＰＤＦ形式の電子文書をダイレクトプリントする場合であって、ＰＣ端末２から画像処理装置１へＬＡＮ経由で電子文書データを送信したのか、外部記憶媒体であるＵＳＢメモリ３を経由して電子文書データを受け取るのかを判断した後、当該ＰＤＦ形式の電子文書を画像処理装置１に印刷させる処理について説明する。
【００５９】
Ｓ１で画像処理装置１の処理が開始する。
【００６０】
Ｓ２で画像処理装置１が、印刷をすべきＰＤＦ形式の電子文書を検出した場合（Ｓ２でＹｅｓの場合）、かつ、Ｓ３でその電子文書がＵＳＢメモリ３に記憶されている場合（Ｓ３でＹｅｓの場合）、Ｓ８で識別情報取得手段１０が、ＵＳＢメモリ３から、ＵＳＢメモリ３に記憶されている電子文書のファイル名を取得する。
【００６１】
Ｓ２で画像処理装置１が、印刷をすべきＰＤＦ形式の電子文書を検出した場合（Ｓ２でＹｅｓの場合）、かつ、Ｓ３でその電子文書をＬＡＮ経由で検出した場合（Ｓ３でＮｏの場合）、Ｓ４で画像処理装置１は、その電子文書をＬＡＮ経由で受信する。
【００６２】
Ｓ２で画像処理装置１が、印刷をすべきＰＤＦ形式の電子文書を検出していない場合（Ｓ２でＮｏの場合）、Ｓ２で画像処理装置１は待機する。
【００６３】
Ｓ５で画像処理装置１は、ＬＡＮ経由で受信した電子文書を、ＨＤＤ１５０又はＲＡＭ１３０に記憶する。
【００６４】
Ｓ６で画像処理装置１は、印刷すべき電子文書を全て受信した場合（Ｓ６でＹｅｓの場合）、Ｓ７で印刷対象選択手段３０が、画像処理装置１における印刷対象を、ＨＤＤ１５０又はＲＡＭ１３０に記憶した電子文書に選択する。
【００６５】
Ｓ６で画像処理装置１は、印刷すべき電子文書を全て受信していない場合（Ｓ６でＮｏの場合）、Ｓ４で引き続き、その電子文書の受信を行う。
【００６６】
Ｓ９で識別情報表示手段２０が、識別情報取得手段１０により取得されたファイル名を、表示装置１９０に表示する。
【００６７】
Ｓ１０でユーザは、表示装置１９０に表示されたファイル名の中から、画像処理装置１に印刷させる電子文書のファイル名を、表示装置１９０にタッチすることで選択する。
【００６８】
Ｓ１１で印刷文書選択手段３０が、ユーザが選択したファイル名を、画像処理装置１で印刷させる電子文書に対応したファイル名として選択する。
【００６９】
Ｓ１２でＰＤＬ解釈手段５０が、印刷文書選択手段３０により選択されたファイル名によって識別される電子文書を読み出す。
【００７０】
Ｓ１３でＰＤＬ解釈手段５０が、Ｓ１２で読み出した電子文書の情報に基づいて、印刷命令を生成する。
【００７１】
Ｓ１４で描画手段６０が、Ｓ１３でＰＤＬ解釈手段５０により生成された印刷命令に基づき、ラスター画像を生成する。
【００７２】
Ｓ１５で印刷する電子文書につき、ＰＤＬ解釈手段５０と描画手段６０とが行う解釈処理が終了した場合（Ｓ１５でＹｅｓの場合）、Ｓ１６で画像出力手段７０が、描画手段６０により生成されたラスター画像を、プロッタ２００を用いて、紙出力する。
【００７３】
Ｓ１５で印刷する電子文書につき、ＰＤＬ解釈手段５０と描画手段６０とが行う解釈処理が終了していない場合（Ｓ１５でＮｏの場合）、Ｓ１２でこの解釈処理を続行する。
【００７４】
Ｓ１７で画像処理装置１の処理を終了させる場合（Ｓ１７でＹｅｓの場合）、Ｓ１８で画像処理装置１の処理は終了する。
【００７５】
Ｓ１７で画像処理装置１の処理を終了させない場合（Ｓ１７でＮｏの場合）、Ｓ２で画像処理装置１は待機する。
【００７６】
上記のような処理を行うことで、ダイレクトプリントを行う場合に、印刷データの転送に係る処理時間を削減し、印刷する電子文書を保存する余分な記憶領域の確保を不要とする画像処理装置を提供することができる。
【００７７】
以上、本発明の実施の形態について詳述したが、本発明は係る特定の実施の形態に限定されるものではなく、特許請求の範囲に記載された本発明の要旨の範囲において、種々の変形・変更が可能である。
【図面の簡単な説明】
【００７８】
【図１】本実施の形態に係る画像処理装置を含む画像処理システムの構成の一例を示す図である。
【図２】本実施の形態に係る画像処理装置の動作原理を示す図である。
【図３】本実施の形態に係る画像処理装置のハードウェア構成の一例を示す図である。
【図４】本実施の形態に係る画像処理装置の処理動作のフローチャートである。
【符号の説明】
【００７９】
１    画像処理装置
２    ＰＣ端末
３    ＵＳＢメモリ
４    ＳＤカード
１０  識別情報取得手段
２０  識別情報表示手段
３０  印刷文書選択手段
４０  電子文書印刷手段
５０  ＰＤＬ解釈手段
６０  描画手段
７０  画像出力手段
【図１】
2009176043.tif 000003
【図２】
2009176043.tif 000004
【図３】
2009176043.tif 000005
【図４】
2009176043.tif 000006